(57)【特許請求の範囲】
【請求項１】
拡張アンカー（１）を設置するための方法であって、当該拡張アンカー（１）は、
拡張部分（１３）を有するアンカーボルト（１０）と、
拡張スリーブ（３０）であって、当該アンカーボルト（１０）を包囲するとともに当該拡張部分（１３）の引き込みによって拡張可能である、拡張スリーブと、
当該アンカーボルト（１０）上に設けられたばね要素（５０）であって、当該アンカーボルト（１０）を貫通孔（４）内に挿入することで張設され得るとともに、続いて張力が解除されると当該アンカーボルト（１０）の当該拡張部分（１３）を当該拡張スリーブ（３０）内に引き込ませることができる、ばね要素と
を備えるものに於いて、
貫通穴（４）が基材（３）内に設けられ、
前記拡張アンカー（１）の前記拡張スリーブ（３０）が、前記アンカーボルト（１０）に軸方向力を付与することによって前記貫通孔（４）内に挿入され、
前記アンカーボルト（１０）の前記拡張部分（１３）は、前記ばね要素（５０）内に蓄積されているエネルギーによって前記拡張スリーブ（３０）内にひきこまれ、それにより、前記拡張スリーブ（３０）が、径方向に拡張するとともに前記貫通孔（４）内に前記拡張アンカー（１）を固定する
方法であって
前記拡張アンカー（１）の前記ばね要素（５０）が、前記アンカーボルト（１０）に対して軸方向力を付与することによって設定張力になるよう張設されており、設けられた指標要素（６０）が前記設定張力に達したことを示す、
ことを特徴とする方法。
【請求項２】
前記指標要素（６０）は前記拡張アンカー（１）に一体化されている、ことを特徴とする請求項１に記載の方法。
【請求項３】
前記指標要素（６０）は前記ばね要素（５０）上に配置されている、ことを特徴とする請求項１または２に記載の方法。
【請求項４】
前記ばね要素（５０）が、少なくとも１つの円板ばね（５１）を含み、前記指標要素（６０）が、前記円板ばね（５１）に連結されるとともに設定張力が達成されると前記円板ばね（５１）から少なくとも部分的に離脱する指標リング（６１）を有する、ことを特徴とする請求項１ないし３のいずれか１項に記載の方法。
【請求項５】
前記円板ばね（５１）と前記指標リング（６１）とが前記アンカーボルト（１０）を包囲する、ことを特徴とする請求項４に記載の方法。
【請求項６】
前記指標要素（６０）は、前記ばね要素（５０）の変形によって、または前記アンカーボルト（１０）に関連する要素（２０）の衝撃によって、作動され得る、ことを特徴とする請求項１ないし５のいずれか１項に記載の方法。
【請求項７】
前記アンカーボルト（１０）は、前記アンカーボルト（１０）上に配置されるナット（２０）によって形成される前記ばね要素（５０）の軸方向支持部を含む、ことを特徴とする請求項１ないし６のいずれか１項に記載の方法。
【請求項８】
停止部（１２）が、前記アンカーボルト（１０）上に設けられており、前記停止部は、前記拡張部分（１３）を超える前記拡張スリーブ（３０）の変位を制限する、ことを特徴とする請求項１ないし７のいずれか１項に記載の方法。
【発明の詳細な説明】
【技術分野】
【０００１】
本発明は、請求項１の前提部に記載の拡張アンカーに関する。
【背景技術】
【０００２】
アンカーボルトおよび拡張スリーブを有する拡張アンカーが、たとえば特許文献１から公知となっている。これら拡張アンカーは、部材を基材に固定するために使用される。拡張アンカーを基材に固設するために、アンカーボルトとともに拡張スリーブが、準備された孔に挿入、特に打設される。その後、アンカーボルトは、孔から所定の分だけ引き抜かれる。この際、拡張スリーブは、周囲の孔内壁との相互作用（接触）により所定の位置に概ね固定されたままとなる。その結果、拡張スリーブに対するアンカーボルトの軸方向変位が生じて、アンカーボルトの拡張部分が、拡張スリーブに軸方向に進入する。この進入の結果、拡張スリーブの方も径方向に拡張し、これによってアンカーが穴内壁に固設される。この原理は、本発明の基礎にもなっている。
【０００３】
特許文献１によると、拡張スリーブを拡張するためのアンカーボルトの抜き出しは、たとえば、アンカーボルトに設けられているナットを緊締することによって達成される。特に均一で信頼度の高い結果を得るべく、この場合はたとえばトルクレンチによって、ナットに対して所定のトルクを与えるべきである。これは一方では拡張スリーブの十分な拡張を確実なものにするために、また他方では拡張機構に対する潜在的に不利になる余分な応力を防ぐためである。
【０００４】
特許文献２から、別の拡張アンカーが公知となっている。この拡張アンカーにおいて、拡張スリーブを拡張するためのアンカーボルトの抜き出しは、ばね要素によって達成される。公知の拡張アンカーは、付勢されたばね要素によって貫通孔に挿入される。保持機構が続いて解除され、ばね要素が解放される。
【０００５】
包括的な（generic）拡張アンカーは特許文献３から知ることができる。この文献は、アンカーが挿入された時に貫通孔内に張設されて拡張機構を作動させるばね要素を有する登山スポーツ用の拡張アンカーを記載している。
【０００６】
特許文献４、特許文献５および特許文献６は、たとえ設置操作の後で基材内の構造的な変化が生じた場合でもアンカー内の付勢を保持することができるばね要素を有する拡張アンカーを記載する。別のばね要素を有する拡張アンカーは特許文献７および特許文献８から公知となっている。
【先行技術文献】
【特許文献】
【０００７】
【特許文献１】欧州特許公開公報第１８９２４２４号明細書
【特許文献２】独国特許公開公報第１０１０６８４４号明細書
【特許文献３】国際公開第９７３２６３１号明細書
【特許文献４】独国特許第３３３１０９７号明細書
【特許文献５】米国特許公開公報第１５８３８４９号明細書
【特許文献６】独国特許公開公報第３０２２０１１号明細書
【特許文献７】欧州特許第０４６１７９０号明細書
【特許文献８】独国実用新案第７３３４０２６号明細書
【発明の概要】
【発明が解決しようとする課題】
【０００８】
本発明の目的は、特に最低限の労力と低いコストで、特に簡単に、しかし高い信頼性で設置することができる拡張アンカーを提供することである。
【課題を解決するための手段】
【０００９】
本発明によれば、上記の目的は請求項１の特徴を有する拡張アンカーによって達成される。好適な特定の形態は、従属請求項から明らかになる。
【００１０】
本発明によると、拡張アンカーであって、拡張部分を有するアンカーボルトと、拡張スリーブであって、アンカーボルトを包囲するとともに拡張部分の引き込みによって拡張可能である、拡張スリーブと、アンカーボルト上に設けられたばね要素であって、アンカーボルトを貫通孔内に挿入することで張設され得るとともに、続いて張力が解除されるとアンカーボルトの拡張部分を拡張スリーブ内に引き込ませることができる、ばね要素と、を備えるものに、指標要素が設けられており、この指標要素は、ばね要素の設定張力が達成されたときを示す。
【００１１】
本発明に係る第１の基本的な概念は、拡張アンカーにばね要素を嵌合させることであろう。ばね要素は、アンカーが貫通孔に挿入されると圧縮し、その工程中のエネルギーを吸収する。この吸収されたエネルギーは、後続のばね要素の解放およびアンカーの貫通孔への固定の際に拡張アンカーの拡張機構を作動させる。したがって、アンカーの挿入も拡張機構の活性化も、本発明によれば、軸方向力のみによって行うことができる。したがって、アンカーを設置するために、唯一のツール、たとえばハンマーのみが必要となり、レンチなどは不要にすることができる。このようにして、ナットなどを用いるトルク制御による設置操作と比べて、設置操作を大幅に簡略化することができる。
【００１２】
これに基づいて、本発明によれば、本発明に係るばね要素の状態を計測することによって、特に簡単かつ信頼できる方法で、拡張機構が正しく作動されたかどうか、つまり、アンカーが適切に設置されたかどうかを確忍できる。いったんアンカーが設置されると、拡張機構の中核部分、つまり拡張部分および拡張スリーブは、実際には、貫通孔に少なくとも部分的に隠れ、手が届かないところにあるので、直接の設置チェックは簡単ではない。しかしながら、本発明によれば、一方では、本発明に係るばね要素によって、設置操作に関与する追加の部材がもたらされるので、設置操作について結論を出すことができる、また他方では、設置操作中に少なくとも部分的にばね要素が貫通孔の外側に存在し続けるので、設置チェックには特に便利である。このような知見に基づいて、本発明は、ばね要素を計測するとともに特にばね要素内で設定張力が達成されたかどうかを示す指標要素を開示する。本発明によると、拡張機構は少なくとも部分的にばね要素内に蓄積されたエネルギーによって作動されるので、ばね要素内の最大張力は、拡張機構がどの程度まで作動したかということに関して特に信頼できる指標である。ばね張力は基本的にばねたわみに直接関連してもいるので、ばね要素のたわみを計測することによって特に簡単な方法で設置操作をチェックし得る。したがって、ばね要素に関連する本発明に係る指標要素は、特に簡素な手段を用いて特に信頼性の高い設置チェックを行うことを可能にする。
【００１３】
本発明によると、ばね要素がその設定張力に達したことを示す指標要素が設けられる。一般に、ばね張力はばねのたわみに直接関連しているので、代替的な記載では、設定のためのばねたわみに達したことを示す指標要素を設け得る。
【００１４】
指標要素は、拡張アンカーの一体化された一部であるのが好ましい。したがって、中核部分となるアンカーはそれ自体の指標要素を有しており、これによって取り扱いが極めて簡単になる。したがって、特に、指標要素がアンカーボルトに機械的に接続されるようにしてもよい。
【００１５】
指標要素がばね要素上に設けられていることが特に好ましい。これによって、高い信頼性を持つとともに、構造的に特に簡素で小型の設計が可能になり得る。
【００１６】
ばね要素が少なくとも１つの円板ばねを有するものであっても都合がよい。円板ばねは、拡張部分と拡張スリーブとから成る拡張機構が信頼性高く作動するのに特に適したばね特性を有する。さらに、円板ばね上で設定のためのばね張力に達したことを特に簡単に確忍できる。
【００１７】
たとえば、指標要素が指標リングを有するようにしてもよい。この指標リングは、円板ばねに連結されており、設定張力に達すると少なくとも部分的に円板ばねから離脱する。たとえば、指標リングは、円板ばねに接着されていてもよい。円板ばねに張力をかけると、結果として、円板ばねの変形につながり、よって、指標リングと円板ばねとの間の結合部分の緊張（stress）となる。設定張力に達すると、指標リングと円板ばねとの間の一体状の結合部が弛緩し、指標リングは、少なくとも部分的に解放される。このことは、適切な設定操作がなされたことを示す。しかしながら、指標要素は、設定されたばねのたわみに達するとアンカーボルトに接続された指標要素に打撃を与える所定の要素、たとえばナットなどの結果として作動されてもよい。その結果、たとえば、指標要素の一部が分離されるか、色カートリッジが破壊され得る。したがって、指標要素は、本発明によると、ばね要素の変形によって、または、アンカーボルトに連結される要素、特にアンカーボルトに設けられているナットの衝撃によって作動されてもよい。
【００１８】
円板ばねおよび／または指標リングがアンカーボルトを包囲するようにすると特に都合がよい。このようにして、特に小型の構成が達成できる。
【００１９】
特に、円板ばねは、設定張力に達すると完全に平坦になるように構成され得る。このようにして、設定張力に達したことを確忍することが特に簡単になり得る。
【００２０】
アンカーボルトを貫通孔に挿入することでばね要素に張力をかけることができるようにするために、また、続いて弛緩したときにばね要素によってアンカーボルトの拡張部分が拡張スリーブに引き込まれることができるようにするために、アンカーボルトは、本発明によると、ばね要素用の支持部を有する。ばね要素は、留付される部材との接触のためのまたは貫通孔の開口部に直接接触するための支持部とは反対側に設けられると都合がよく、それにより、ばね要素は、アンカーボルトの支持部と部材または貫通孔の開口部との間で締め付けられ得る。
【００２１】
支持部は、アンカーボルト上に配置されているナットによって形成されることが好ましい。したがって、アンカーボルト上に配置されているばね要素を張設するためのナットは、ばね要素に対して作用する。同じナットが、指標要素も作動させ得ることが好ましい。しかしながら、基本的に、他の要素を支持部として用いてもよい。追加の要素、たとえば座金を、支持部とばね要素との間に設けてもよい。
【００２２】
本発明は、特に拡張アンカーに適している。この拡張アンカーは、いわゆるスタッドアンカーとして構成されている。このスタッドアンカーでは、拡張スリーブは、比較的短尺であり、意図した設置操作の後に貫通孔を超えることがない。拡張スリーブを拡張するために必要となる拡張スリーブの貫通孔への軸方向の固定は、スタッドアンカーにおいては、主に、貫通孔内壁とスリーブとの間の接触、特に摩擦力によって行われる。このようなスタッドアンカーの場合、拡張スリーブは設置後にはほぼ完全に貫通孔の内部に存在するので、このような種類のアンカーについて、拡張スリーブ自体の設置をチェックすることは特に難しい。本発明に係る外部ばね要素の上の支持要素による設置チェックは、そのような場合においても、簡素な設置チェックを実行する可能性を生み出す。
【００２３】
スタッドアンカーは、一般的に、特に成形された停止部が、アンカーボルトの特に拡張部分とは反対側にある拡張スリーブの側面に設けられており、拡張部分を超える拡張スリーブのずれを限定するという点で特徴づけられる。つまり、このことによって、アンカーボルトとともに比較的短尺の拡張スリーブが貫通孔に深く挿入できるようになる。本発明にかかるアンカーは、この特徴を備えることができると都合がよい。停止部は、構成上環状だと都合がよく、たとえば環状停止部または環状縁部として形成され得る。
【００２４】
ばね要素が漸減ばね特性（degressive spring characteristic）を有することも好ましい。つまり、漸減ばね特性の場合、広いばねたわみにわたって強い力を保持することができ、よって、たとえ拡張スリーブが設置の間貫通孔に向かってある程度すべり戻ったとしても、拡張機構が高い信頼性で作動することが保証され得る。特にこれを背景として、ばね要素は少なくとも１つの円板ばねを有すると効果的であり得る。この１つの円板ばねによって漸減ばね特性を特に簡単な方法で得ることができるからである。
【００２５】
アンカーボルトは、負荷付与手段、たとえばねじ山、または、アンカーボルト内に軸方向張力を導入するための頭部を有することが好ましい場合があり得る。負荷付与手段は、アンカーボルトの拡張部分とは反対側の端部部分に配置されていると効果的である。アンカーを設置するために、特にアンカーボルトを拡張スリーブとともに貫通孔に挿入することおよび／またはばね装置を締め付けるために、アンカーボルト内に軸方向衝撃力を加えることは、アンカーボルトの正面に、たとえばハンマーの一撃をそのアンカーボルトの正面に与えることによって行い得る。
【００２６】
アンカーボルトは、拡張部分内で拡張スリーブまたは負荷付与手段に向かって徐々に細くなっていると都合がよい。アンカーボルトの拡張部分は、特に円錐形であり得る。拡張部分が拡張スリーブを変形させることができるようにするために、アンカーボルトは断面外周を有する。これは、拡張スリーブの変形されていない断面内周よりも大きい。
【００２７】
「軸方向」および「径方向」という言葉が本明細書で使用された場合、これらは、特に通常の技術的な意味におけるアンカーボルトの長手方向軸に関してであり得る。
【００２８】
本発明は、貫通孔が形成された基材、特にコンクリート基材から成る構成と、貫通孔内に格納される本発明に係る拡張アンカーと、にも関する。この構成における拡張スリーブは、貫通孔内の拡張アンカーを固定するのに都合がよい。
【００２９】
本発明は、さらに、本発明に係る拡張アンカーを設置するための方法に関する。貫通孔が基材に設けられており、拡張アンカーの拡張スリーブが、軸方向力をアンカーボルトに加えることによって貫通孔に打ち込まれ、拡張アンカーのばね要素が、軸方向力をアンカーボルトに与えることによって設定張力まで張設され、設定張力に達したことを指標要素が示し、アンカーボルトの拡張部分は、ばね要素に蓄積されたエネルギーによって拡張スリーブ内に引き込まれ、それにより、拡張スリーブが径方向に拡張するとともに貫通孔内で拡張アンカーを固定する。
【００３０】
以下、添付の図面に概略的に示す例示的な好適な実施形態に基づいて、本発明を詳細に説明する。
【図面の簡単な説明】
【００３１】
【図１】設置操作中の特定の時点における本発明に係る拡張アンカーの実施例を概略的に示す図である。
【図２】設置操作中の特定の時点における本発明に係る拡張アンカーの実施例を概略的に示す図である。
【図３】設置操作中の特定の時点における本発明に係る拡張アンカーの実施例を概略的に示す図である。
【発明を実施するための形態】
【００３２】
図１ないし図３は、本発明に係る拡張アンカー１の実施例を示す。拡張アンカーは、長尺アンカーボルト１０を含む。この長尺アンカーボルトの外側面には、外部ねじ山１１として実施されている負荷付与手段１１が存在する。対応のナット２０が、アンカーボルト１０のこのねじ山１１にねじ込まれている。
【００３３】
拡張アンカー１は、拡張スリーブ３０も含む。この拡張スリーブは、アンカーボルト１０を環状に包囲する。ねじ山１１とは反対を向いている拡張スリーブ３０の側面には、スリットによって間隔をあけて配置されている複数の拡張フラップ３１が設けられている。この拡張フラップは、拡張アンカー１を固設させるために径方向外方に拡張可能に設けられている。
【００３４】
アンカーボルト１０は、ねじ山１１と反対の端部部分に拡張部分１３を含む。拡張部分１３において、アンカーボルト１０との横断面部は、たとえば、拡張スリーブ３０から離れるにしたがって円錐形状に拡大し、それにより、拡張部分１３が、拡張スリーブ３０に軸方向に引き込まれると、拡張スリーブ３０、特に拡張フラップ３１を径方向に拡張できるようになる。
【００３５】
拡張部分１３とは反対側の拡張スリーブ３０の側面に、アンカーボルト１０はその外面にたとえば環状の段部として設計された拡張スリーブ３０用の停止部１２を備える。この停止部１２は、アンカーボルト１０の負荷付与手段、たとえばねじ山１１に向かう拡張スリーブ３０の軸方向運動を制限する。
【００３６】
拡張アンカー１は、円板ばね５１を有するばね要素５０も備える。アンカーボルト１０は、円板ばね５１を通して導かれる。この場合、ナット２０は、円板ばね５１の軸方向支持部を形成する。円板ばね５１は、図示の実施例では、ナット２０に直接隣接して配置されている。基本的に、別の要素、たとえば座金が、円板ばね５１とナット２０との間に存在していてもよい。特に、円板ばね５１は、アンカーボルト１０上のねじ山１１の位置に存在してもよい。図示の実施例では、円板ばね５１は、径方向内方に延在する複数のばね舌部５５を備えて成る（図３）。
【００３７】
拡張アンカー１は、指標リング６１を有する指標要素６０も備える。この指標要素は、アンカーの配置状態（図１）では、ナット２０に面する円板ばね５１の側面上に存在する。いったん円板ばね５１が設定張力になるよう付勢されると、指標リング６１は、円板ばね５１から離脱する（図２）。
【００３８】
図１から図３までは、本発明に係る設置方法の範囲内での拡張アンカー１の設置操作を概略的に示している。
【００３９】
貫通孔４が、当初から基材３に設けられている。拡張アンカー１のアンカーボルト１０は、固定すべき部材７の開口部を通して導き入れられる。その後、アンカーボルト１０は、たとえばハンマー正面の一撃によって貫通孔４内に挿入される。この工程中、拡張スリーブ３０も、貫通孔４内に挿入される。なぜなら、ねじ山１１に対する拡張スリーブ３０の相対運動が、停止部１２によって妨げられるからである。ばね要素５０用の第１の支持部を形成するナット２０は、挿入されると、基材３に次第に近づくように前進して、基材３が部材７を介して最終的にばね要素５０用の対向支持部
となる。この状態が図１に示されている。
【００４０】
仮に、たとえば、追加のハンマーの一撃を、図２に概略的に示すハンマー９によってアンカーボルト１０の正面に対して加えると、その結果としてアンカーボルト１０が貫通孔４により深く進入し、ばね要素５０は、ナット２０と基材３との間で圧縮される。つまり、ハンマーの一撃のエネルギーが、ばね要素５０に蓄積される。この工程中に、ばね要素５０内で設定張力に達すると、図２に示すように、指標リング６１が、ばね要素５０から離脱する。したがって、指標要素６０の反応は、設定張力に達したという証拠である。
【００４１】
ハンマーの一撃の終了時に、ばね要素５０は、図３に示すように、再び弛緩してもよい。この場合、ばね要素は、ナット２０を所定の間隔だけ基材３から離れるように動かす。そして、このようにして、アンカーボルト１０は貫通孔４から所定の間隔だけ引き出される。しかしながら、この工程中、拡張スリーブ３０は、貫通孔４の内壁との相互作用（接触）によって、貫通孔４の背後に存在し続ける。結果として、アンカーボルト１０と拡張スリーブ３０との間で軸方向相対運動が生じる。この間、拡張部分１３は、拡張スリーブ３０内に引き込まれる。このようにして、拡張スリーブ３０は、径方向に拡張し、拡張アンカー１は、基材３に固定される。
【００４２】
拡張スリーブ３０の径方向に拡張するエネルギーは、ばね要素５０から生じる。したがって、ばね要素５０の状態を示す指標要素６０の状態によって、設置操作の完全性に関する結論を出すことができる。
【図１】
0005975587.tif 000002
【図２】
0005975587.tif 000003
【図３】
0005975587.tif 000004